【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
複数の撮影モードを備え、選択された撮影モードに応じて被写体を撮影してその画像データを生成し、記録する電子カメラにおいて、
自動設定された撮影に関連する所定の情報により撮影を行う簡単撮影モードと、
前記簡単撮影モードを含む複数の撮影モードのうちのいずれか一つを選択する撮影モード選択手段と、
前記簡単撮影モード以外の撮影モード下で、更に、前記撮影モード選択手段によって前記簡単撮影モードが選択されると、前記撮影モードにおける撮影に関連する情報を保存する撮影情報保存手段と、
前記撮影情報保存手段による撮影に関連する情報の保存後に簡単撮影用の所定の情報を自動設定する撮影情報自動設定手段と、
前記自動設定された情報による撮影の実行制御を行う簡単撮影制御手段と、
前記簡単撮影モードによる撮影の終了後、前記撮影情報保存手段によって保存された前記撮影モードにおける撮影に関連する情報を再設定する撮影情報再設定手段と、
を備えたことを特徴とする電子カメラ。
【請求項２】
ズーム処理を指示するズーム指示操作手段と、オートフォーカス処理を含む撮影準備処理を指示する撮影準備処理指示操作手段と、撮影を指示する撮影指示操作手段とを有し、
前記簡単撮影制御手段は、前記ズーム指示操作手段、撮影準備処理指示操作手段、および撮影指示操作手段による指示操作のみで前記撮影情報自動設定手段によって自動設定された情報を基に撮影を行う
ことを特徴とする請求項１に記載の電子カメラ。
【請求項３】
ズーム処理を指示するズーム指示操作手段と、撮影を指示する撮影指示操作手段とを有し、
前記簡単撮影制御手段は、前記ズーム指示操作手段および撮影指示操作手段による指示操作のみで前記撮影情報自動設定手段によって自動設定された情報を基に撮影を行う
ことを特徴とする請求項１に記載の電子カメラ。
【請求項４】
前記簡単撮影モードは、ストロボ撮影を行わない第１の簡単撮影モードと、ストロボ撮影を行う第２の簡単撮影モードからなり、
前記簡単撮影制御手段は第２の簡単撮影モードにおいてストロボ発光制御を行うストロボ発光制御手段を含む
ことを特徴とする請求項１乃至３のいずれか１項に記載の電子カメラ。
【請求項５】
前記撮影モード選択手段によって前記簡単撮影モードが選択されたときに、ストロボ撮影を行わない第１の簡単撮影モードまたはストロボ撮影を行う第２の簡単撮影モードのいずれかを選択する簡単撮影選択手段を備え、
前記簡単撮影制御手段は第２の簡単撮影モードにおいてストロボ発光制御を行うストロボ発光制御手段を含む
ことを特徴とする請求項１乃至３のいずれか１項に記載の電子カメラ。
【請求項６】
自動設定された撮影に関連する所定の情報により撮影を行う簡単撮影モードを含む複数の撮影モードを備え、選択された撮影モードに応じて被写体を撮影してその画像データを生成し、記録する電子カメラにおける撮影方法であって、
前記簡単撮影モードを含む複数の撮影モードのいずれかを選択するステップと、
前記簡単撮影モード以外の撮影モード下で、更に前記簡単撮影モードが選択されたか否かを判定するステップと、
前記簡単撮影モードが選択された場合は、前記撮影モードにおける撮影に関連する情報を保存するステップと、
前記撮影に関連する情報の保存後に簡単撮影用の所定の情報を自動設定するステップと、
前記自動設定された情報による撮影の実行制御を行うステップと、
前記撮影の終了後、前記保存された前記撮影モードにおける撮影に関連する情報を再設定するステップと、
を備えたことを特徴とする撮影方法。
【請求項７】
請求項６に記載の撮影を電子カメラのコンピュータに実行させることを特徴とするプログラム。
【請求項８】
第１の数の機能を有する電子カメラにおいて、
所定の撮影モードを設定する撮影モード設定手段と、
前記撮影モード設定手段により前記所定の撮影モードが設定された場合、前記第１の数の機能のうち、前記第１の数より少ない第２の数の機能のみを使用できるように設定する機能設定手段と
を備える電子カメラ。
【請求項９】
前記第１の数の機能は、少なくともズーム機能とオートフォーカス機能と撮影機能とを含み、
前記機能設定手段は、前記撮影モード設定手段により前記所定の撮影モードが設定された場合、前記第１の数の機能のうち、前記ズーム機能と前記オートフォーカス機能と前記撮影機能のみを使用できるように設定する
ことを特徴とする請求項８に記載の電子カメラ。
【請求項１０】
前記第１の数の機能は、少なくともズーム機能と撮影機能とを含み、
前記機能設定手段は、前記撮影モード設定手段により前記所定の撮影モードが設定された場合、前記第１の数の機能のうち、前記ズーム機能と前記撮影機能のみを使用できるように設定する
ことを特徴とする請求項８に記載の電子カメラ。
【請求項１１】
所定の撮影モードを設定する撮影モード設定手段を備え、第１の数の機能を有する電子カメラのコンピュータを、
前記撮影モード設定手段により前記所定の撮影モードが設定された場合、前記第１の数の機能のうち、前記第１の数より少ない第２の数の機能のみを使用できるように設定する機能設定手段、
として機能させるプログラム。
【手続補正２】
【補正対象書類名】明細書
【補正対象項目名】００１２
【補正方法】変更
【補正の内容】
【００１２】
また、請求項７に記載の発明では、請求項６に記載の撮影方法を電子カメラのコンピュータに実行させることを特徴とするプログラムを提供する。
これにより、電子カメラは、簡単撮影モードが選択されると、撮影していた撮影モードでの撮影に関連する情報等を保存し、簡単撮影用の所定の情報を自動設定し、簡単撮影を行うことができる。また、簡単撮影が終わると保存していた前回の撮影モードの情報を再設定するので、ユーザは簡単撮影モード選択前の撮影モードに戻って撮影を継続することができる。
また、請求項８に記載の発明では、第１の数の機能を有する電子カメラにおいて、所定の撮影モードを設定する撮影モード設定手段と、前記撮影モード設定手段により前記所定の撮影モードが設定された場合、前記第１の数の機能のうち、前記第１の数より少ない第２の数の機能のみを使用できるように設定する機能設定手段とを備える電子カメラを提供する。
また、請求項９に記載の発明では、前記第１の数の機能は、少なくともズーム機能とオートフォーカス機能と撮影機能とを含み、前記機能設定手段は、前記撮影モード設定手段により前記所定の撮影モードが設定された場合、前記第１の数の機能のうち、前記ズーム機能と前記オートフォーカス機能と前記撮影機能のみを使用できるように設定することを特徴とする請求項８に記載の電子カメラを提供する。
また、請求項１０に記載の発明では、前記第１の数の機能は、少なくともズーム機能と撮影機能とを含み、前記機能設定手段は、前記撮影モード設定手段により前記所定の撮影モードが設定された場合、前記第１の数の機能のうち、前記ズーム機能と前記撮影機能のみを使用できるように設定することを特徴とする請求項８に記載の電子カメラを提供する。
また、請求項１１に記載の発明では、所定の撮影モードを設定する撮影モード設定手段を備え、第１の数の機能を有する電子カメラのコンピュータを、前記撮影モード設定手段により前記所定の撮影モードが設定された場合、前記第１の数の機能のうち、前記第１の数より少ない第２の数の機能のみを使用できるように設定する機能設定手段、として機能させるプログラムを提供する。
【手続補正３】
【補正対象書類名】明細書
【補正対象項目名】００１３
【補正方法】変更
【補正の内容】
【００１３】
本発明によれば、簡単な操作で撮影をすることができる。